(57)【要約】【課題】レリースワイヤの位置決め精度の維持およびレリースワイヤの取付け作業の効率化を図ることができる排水栓装置を提供する。【解決手段】排水口に栓蓋を開閉自在に嵌装してなる排水栓本体に取り付けられる開閉機構部と、前記栓蓋の開閉を操作する自己復帰型操作レバーと、該操作レバーの操作力を前記開閉機構部を介して前記栓蓋のスライド軸に伝達するレリースワイヤとからなる排水栓装置。前記開閉機構部が前記排水栓本体の下部屈曲壁部に鉛直方向に取り付けられている。【選択図】　　　　図１
2004027812.tif 000002
【特許請求の範囲】
【請求項１】
排水口に栓蓋を開閉自在に嵌装してなる排水栓本体に取り付けられる開閉機構部と、前記栓蓋の開閉を操作する自己復帰型操作レバーと、該操作レバーの操作力を前記開閉機構部を介して前記栓蓋のスライド軸に伝達するレリースワイヤとからなり、前記開閉機構部が前記排水栓本体の下部屈曲壁部に鉛直方向に取り付けられてなる排水栓装置。
【請求項２】
前記開閉機構部が、円筒形状のガイド部と、該ガイド部の上部開口に嵌着されるキャップと、該キャップから突出するとともに、前記スライド軸の下端に対向して配置されるシャフトと、該シャフトと前記ガイド部とのあいだに設けられる開閉ロック機構と、前記ガイド部の下部外周に螺着されるナットとからなる請求項１記載の排水栓装置。
【請求項３】
前記開閉ロック機構が、ガイド部の内周面から突出し、上部端面にギアが形成された複数の案内突起と、前記シャフトの下端に固着され、外周面に複数の突起および上部端面にギアが形成された固定ギアと、該シャフトに挿通されるとともに、外周面に複数の突起および下部端面にギアが形成される、前記固定ギアと噛み合う回転ギアとからなり、該固定ギアの突起と回転ギアの突起が前記案内突起間の溝に嵌り込んで位置合わせされており、前記自己復帰型操作レバーの操作により、前記シャフトを昇降させるとともに、前記回転ギアを前記シャフトの外周方向へ回転させて、順次該回転ギアのギアと前記案内突起のギアとの噛み合いと該固定ギアの突起と回転ギアの突起との位置合わせを交互に繰り返す請求項１または２記載の排水栓装置。
【請求項４】
前記シャフトの上部先端に断面がＵ字状のカバーが嵌着されてなる請求項１、２または３記載の排水栓装置。
【請求項５】
排水口に栓蓋を開閉自在に嵌装してなる排水栓本体に外部から取り付けられる開閉機構部と、前記栓蓋の開閉を操作する自己復帰型操作レバーと、該操作レバーの操作力を前記開閉機構部を介して前記栓蓋の操作軸に伝達するレリースワイヤと、前記開閉機構部と栓蓋の操作杆とを直接連結する緩衝部材とからなる排水栓装置。
【請求項６】
前記緩衝部材がコイルスプリングと該コイルスプリングの外周に被覆される被覆層とからなる請求項５記載の排水栓装置。
【発明の詳細な説明】
【０００１】
【発明の属する技術分野】
本発明は排水栓装置に関する。さらに詳しくは、手洗器や浴槽などの水槽に使用される排水栓装置に関する。
【０００２】
【従来の技術】
従来の排水栓装置（以下、装置Ａという）としては、たとえば排水口に栓蓋（排水栓）を開閉自在に嵌装してなる排水栓本体と、カウンター面などに設置される操作レバーと、該操作レバーの操作力を前記栓蓋のスライド軸に伝達するレリースワイヤとを備えるものがある（特許文献１参照）。
【０００３】
かかる装置Ａでは、レリースワイヤの一端部を排水栓本体の下部排水管の垂直側面に形成される引出口から外に引き出したのち、操作レバーに連結する。ついでレースワイヤの他端部を排水栓本体内でＬ字状に曲げたのち、該先端部を前記スライド軸の下部に取り付ける。ついで前記排水栓本体の外部から該レリースワイヤのガイド部筒をパッキンを介してナットにより、前記引出口に水密状に締め付けるようにしている。
【０００４】
また、他の従来の排水栓装置（以下、装置Ｂという）としては、排水口に栓蓋（排水栓）を開閉自在に嵌装してなる排水栓本体と、カウンター面などに設置される操作レバーと、該操作レバーの操作力を前記栓蓋のスライド軸に伝達するレリースワイヤと、前記栓蓋を開栓位置に保持するロック機構などの機構と、緩衝機構とを備えるものがある。
【０００５】
前記装置Ｂでは、前記装置Ａと同様に、レースワイヤの他端部を排水栓本体内でＬ字状に曲げたのち、該先端部を前記スライド軸の下部に取り付けるようにしている。また、前記装置Ｂにおける緩衝機構は、たとえばかかる装置Ｂが、手洗器に据え付けられているときに、開いている栓蓋を不用意に手で押えて、ロック機構、昇降作動部材および操作ワイヤの先端部を損傷しないように設けられたものであり、この緩衝機構としては、緩衝用コイルスプリングやショックアブソーバなどが用いられている（特許文献２、特許文献３、特許文献４、特許文献５および特許文献６など参照）。
【０００６】
【特許文献１】
実用新案登録第２５４５３７１号公報
【特許文献２】
特開平７−２２９１８７号公報
【特許文献３】
特開平９−２０３０９５号公報
【特許文献４】
特開平９−２０９４２９号公報
【特許文献５】
実公平７−３８４２０号公報
【特許文献６】
実公平７−３８４２１号公報
【０００７】
【発明が解決しようとする課題】
しかしながら、前記装置Ａでは、レリースワイヤの取付け作業において、排水栓本体内に先端部を小さく屈曲させるので、先端部に大きな復元力が作用して、先端部の前記スライド軸の下部取付け位置がずれる（芯ズレの）おそれがある。また、この先端部のスライド軸の下部取付け作業は、レリースワイヤのガイド部筒を引出口に締め付ける作業とは別々に行なわなければならないとともに、メンテナンス時の取り外し作業も別々に行なわなければならないので、レリースワイヤの取付け作業が２工程となり、作業効率の低下を招きやすい。
【０００８】
一方、前記装置Ｂにおいても、前記装置Ａと同様に、排水栓本体内でレリースワイヤの先端部を小さく屈曲させるので、先端部に大きな復元力が作用して、先端部の前記スライド軸の下部取付け位置がずれる（芯ズレの）おそれがあるとともに、先端部のスライド軸の下部取付け作業の作業効率の低下を招きやすい。また、この装置Ｂでは、ロック機構とともに緩衝機構が排水管内のスラスト軸周りに配設されているため、排水管の断面積における排水の通過面積が狭くなり、排水量が制限されるという問題がある。また、ロック機構とともに緩衝機構が排水管内に配置されるため、メンテナンス時の作業が面倒である。
【０００９】
本発明は、叙上の事情に鑑み、レリースワイヤの位置決め精度の維持およびレリースワイヤの取付け作業の効率化を図るとともに、所定の排水量を確保することができ、かつメンテナンス作業を簡単に行なうことができる排水栓装置を提供することを目的とする。
【００１０】
【課題を解決するための手段】
本発明の排水栓装置は、排水口に栓蓋を開閉自在に嵌装してなる排水栓本体に取り付けられる開閉機構部と、前記栓蓋の開閉を操作する自己復帰型操作レバーと、該操作レバーの操作力を前記開閉機構部を介して前記栓蓋のスライド軸に伝達するレリースワイヤとからなり、前記開閉機構部が前記排水栓本体の下部屈曲壁部に鉛直方向に取り付けられてなることを特徴とする。
【００１１】
また、本発明の排水栓装置は、排水口に栓蓋を開閉自在に嵌装してなる排水栓本体に外部から取り付けられる開閉機構部と、前記栓蓋の開閉を操作する自己復帰型操作レバーと、該操作レバーの操作力を前記開閉機構部を介して前記栓蓋の操作軸に伝達するレリースワイヤと、前記開閉機構部と栓蓋の操作杆とを直接連結する緩衝部材とからなることを特徴とする。
【００１２】
【発明の実施の形態】
以下、添付図面に基づいて本発明の排水栓装置を説明する。
【００１３】
実施の形態１
図１に示すように、本発明の一実施の形態にかかわる排水栓装置は、開閉機構部１、自己復帰型操作レバー２およびレリースワイヤ３から構成されている。
【００１４】
前記開閉機構部１は、手洗器や浴槽などの水槽の排水口に設けられる栓蓋４を開閉自在に嵌装してなる排水栓本体５の下部屈曲壁部６に取り付けられている。この排水栓本体５としては、本発明においては、とくに限定されるものではないが、栓蓋４の下部に圧入または螺着などにより垂下されたスライド軸７が挿通される上部排水管５ａ、前記開閉機構部１が鉛直方向に取り付けられる下部排水管５ｂおよび両排水管５ａ、５ｂをパッキン８を介してナット９により連結する連結管５ｃからなるものを用いることができる。本実施の形態における開閉機構部１は、該下部排水管５ｂを９０°に屈曲させた下部屈曲壁部６に取り付けられている。
【００１５】
前記開閉機構部１は、円筒形状のガイド部１０と、該ガイド部１０の上部開口に嵌着される円筒形状のキャップ１１と、該キャップ１１から突出するとともに、前記スライド軸７の下端に対向して配置されるシャフト１２と、該シャフト１２と前記ガイド部１０とのあいだに設けられる開閉ロック機構１３と、前記ガイド部１０の下部外周に螺着されるナット１４と、前記シャフト１２の上部先端に嵌着される、断面がＵ字状のカバー１５とから構成されている。この開閉機構部１の取り付けは、前記ガイド部１０の下部鍔１６にパッキン１７を配置したのち、前記下部排水管５ｂの内側から下部屈曲壁部６に形成した孔６ａに前記ガイド部１０のねじ部２０を差し込み、ついで前記下部排水管５ｂの外側からレリースワイヤ３のインナーケーブル１８に固着されるプッシュロッド１９を前記ねじ部２０の下孔２０ａに差し込むとともに、該レリースワイヤ３に嵌め込まれているナット１４をパッキン２１を介在させて、前記ねじ部２０の外周に水密状に締め付けるようにしている。これにより、開閉機構部１の取り付けと同時にレリースワイヤ３の連結を同時に行なうことができるため、取付け作業の効率を向上させることができる。また、レリースワイヤーの配索に際し、小曲げを行なわないので、取り付け精度を維持することができる。
【００１６】
なお、本実施の形態では、キャップ１１の摺動部分から開閉機構部１の内部へ排水が浸入するのを防止するため、および該摺動部分への糸くずや毛髪などのごみが堆積しないように、前記ガイド部１０とシャフト１２を覆うように、該シャフト１２の上部先端にカバー１５が嵌着されているが、本発明においては、たとえば前記排水口内の中間部に形成される段差部にごみ受け皿を着脱自在に設けるとともに、前記キャップ１１の摺動部分にＯリングを嵌め込むことにより、前記カバー１５を省くことができる。
【００１７】
前記開閉ロック機構１３としては、本発明において、前記自己復帰型操作レバー２により蓋栓４の開閉ができる機構であれば、とくに限定されるものではないが、図１〜３に示されるように、前記ガイド部１０の内周面から突出し、上部端面に、第１ギア３１ａおよび第２ギア３１ｂからなるギア３１が形成された複数の案内突起３２と、前記シャフト１２の下端に固着され、外周面に突起３３および上部端面にギア３４が形成された固定ギア３５と、該シャフト１２に挿通されるとともに、外周面に突起３６および下部端面にギア３７が形成される、前記固定ギア３５と噛み合う回転ギア３８とからなるものを用いることができる。なお、図２〜３において、突起３３、３６には、わかりやすくするために、斜線を施している。前記回転ギア３８は、固定ギア３５の上をシャフト１２の外周方向へスライドしながら回転できるように、シャフト１２に挿通されている。また、この回転ギア３８が回転自在になるとともに、シャフト１２が抜け出ないように、回転ギア３８から所定の離れたシャフト１２の位置に位置決めリング３９が固定されている。この位置決めリング３９は、後述するように自己復帰型操作レバー２の操作により、シャフト１２の上昇で回転ギア３８が案内突起３２の上に乗り上げたのち、当該回転ギア３８の上端面に係止して、該シャフト１２の上昇位置、すなわち栓蓋４の開状態を確保させる機能を有している。
【００１８】
前記固定ギア３５の突起３３は、ギア３４の谷部と山部に渡って設けられ、回転ギア３８の突起３６は、ギア３７の山部に設けられている。また、前記固定ギア３５のギア３４と回転ギア３８のギア３７は、互いに同じ形状の歯であって、この歯はノコギリの歯のように軸方向および斜め方向に均等に切られており、その数は１周あたり８個形成されている。前記突起３３、３６の幅は同じ寸法であり、その数は１周あたり４個にされている。前記ガイド部１０の案内突起３２は、前記固定ギア３５と回転ギア３８の突起３３、３６の数と同様に４個形成されており、該固定ギア３５の突起３３と回転ギア３８の突起３６は前記案内突起３２のあいだの溝４０に嵌り込んでいる。このとき、固定ギア３５のギア３３と回転ギア３８のギア３６とは、食い違い、すなわちギア３３の山部の斜面とギア３６の山部の斜面とが接触する状態になっている。この溝４０の幅は、前記２つの突起３３、３６が嵌る寸法にされている。また、該案内突起３２の第１ギア３１ａと第２ギア３１ｂは左右対称でなく、前記食い違いにより、回転ギア３８を持ち上げて案内突起３２を乗り越えさせるために、第２ギア３１ｂの斜面よりも第１ギア３１ａの斜面を所定量長くしている。前記各ギア３１、３４、３７の傾斜角度は、自重により回転ギア３８のギア３７と固定ギア３５のギア３４および案内突起３２のギア３１との噛み合いが容易に行なわれる角度にされている。本実施の形態では、ギアの傾斜角度として６０°を採用している。
【００１９】
前記自己復帰型操作レバー２は、操作軸４１を有する操作ボタン４２と、該操作軸４１を摺動自在に保持する、ネジキャップ４３およびこれに螺着される袋ナット４４からなる保持筒４５と、前記操作ボタン４２および下部に連結された前記レリースワイヤ３から引き出されたインナーケーブル１８の復帰用のリターンスプリング４６とから構成されている。なお、このリターンスプリング４６は、上方部分がテーパ形状にされている。
【００２０】
本実施の形態では、前記自己復帰型操作レバー２の操作ボタン４２を押し込むと、インナーケーブル１８に操作力が伝達されて、プッシュロッド１９が押し出される。ついで該プッシュロッド１９の上昇とともに、固定ギア３５を介してシャフト１２、回転ギア３８、スラスト軸７および栓蓋４も上昇する。このとき、図４（ａ）に示されるように、前記開閉ロック機構１１の固定ギア３５の突起３４と回転ギア３８の突起３６が、案内突起３２間の溝４０の中から、所定の位置、すなわち突起３４のギア３７の斜面が案内突起３２の第１ギア３１ａの斜面より上になるまで上昇している。そして、前記操作ボタン４２の押し方向の力を解除すると、リターンスプリング４６の力で操作ボタン４２とプッシュロッド１９は元の位置に戻るが、このとき、固定ギア３５も降下する。しかし、図４（ｂ）〜（ｃ）に示されるように、前記回転ギア３８のギア３７は、前記所定の位置に上昇しているときには、回転ギア３８を押さえるものがないので、回転ギア３８の自重により、案内突起３２の第１ギア３１ａの斜面に沿って回転し、該第１ギア３１ａに食い込む。そして、さらに図４（ｂ）〜（ｃ）に示されるように、第１ギア３１ａの斜面が長いため、ギア３７と第２ギア３１ｂとのあいだの隙間Ｓだけ入り込み、回転ギア３８が完全に案内突起３２に乗り上げられ、回転ギア３８はガイド部１０内の元の位置に戻らなくなる。これにより、図５に示されるように、シャフト１２が降下しようとしても位置決めリング３９が回転ギア３８の上端面に係止されるため、シャフト１２は上昇位置で固定される。その結果、前記栓蓋４は開状態となる。
【００２１】
つぎに図５に示されるように、前記操作ボタン４２を押し込んだのち、該操作ボタン４２の押し方向の力を解除すると、前述と同様にリターンスプリング４６の力で操作ボタン４２とプッシュロッド１９は元の位置に戻る。このとき、図６（ａ）に示されるように、該プッシュロッド１９の押し出しとともに、前記固定ギア３５が持ち上げられる。なお、図６において、突起３３、３６には、わかりやすくするために、斜線を施している。そして前記突起３３のギア３４により回転ギア３８の突起３６のギア３７が第２ギア３１ｂの斜面より上になるまで持ち上げられると、回転ギア３８の自重によりギア３７が第２ギア３１ｂの斜面に沿って滑り、回転ギア３７はさらに回転する。これにより、回転ギア３８のギア３７は案内突起３２を乗り越えるため、図６（ｂ）に示されるように、突起３６が案内突起３２間の溝４０に嵌り込み、回転ギア３８の突起３６が１ピッチＰだけずれた固定ギア３５の突起３３の上に移行する。その結果、図１に示されるように、シャフト１２はガイド部１０の内側に降下して栓蓋４は閉状態となる。
【００２２】
このように、本実施の形態では、前記操作レバー２の１回目の操作によりシャフト１２が昇降し、固定ギア３５の突起３３と回転ギア３８の突起３６との位置合わせから、回転ギア３８を前記シャフト１２の外周方向に回転させて、該回転ギア３８のギア３７と前記案内突起３２のギア３１との噛み合いに移行させ、前記栓蓋４の開状態を維持するとともに、前記操作レバー２の２回目の操作によりシャフト１２が昇降し、該回転ギア３８のギア３７と前記案内突起３２のギア３１との噛み合いから、回転ギア３８を前記シャフト１２の外周方向に回転させて、一ピッチずれた固定ギア３５の突起３３と回転ギアの突起３６との位置合わせに移行させて、前記栓蓋４の閉状態を維持するようにしている。したがって、前記自己復帰型操作レバーの操作を繰り返すことにより、順次該回転ギアのギアと前記案内突起のギアとの噛み合いと該固定ギアの突起と回転ギアの突起との位置合わせを交互に繰り返して栓蓋の開閉状態を行なうことができる。
【００２３】
実施の形態２
つぎに本発明の実施の形態２を説明する。図７に示されるように、本発明の実施の形態２にかかわる排水栓装置は、開閉機構部５１、自己復帰型操作レバー５２、レリースワイヤ５３および緩衝部材５４から構成されている。
【００２４】
前記開閉機構部５１は、手洗器や浴槽などの水槽の排水口に設けられる栓蓋５５を開閉自在に嵌装してなる排水栓本体５６の側壁から下方に延長される延長部５６ｃに取り付けられている。この排水栓本体５６としては、本発明においては、とくに限定されるものではないが、栓蓋５５の下部に圧入または螺着などにより垂下された操作杆５７が挿通される上部排水管５６ａおよび前記開閉機構部５１が延長部５６ｃに取り付けられる下部排水管５６ｂが用いられており、両排水管５６ａ、５６ｂはパッキン５８を介してナット５９により連結されている。
【００２５】
前記開閉機構部５１は、円筒形状のケース６０と、該ケース６０の上部開口に嵌着される円筒形状のキャップ６１と、該キャップ６１から下部排水管５６ｂ側へ突出するようにケース６０内に配置されるシャフト６２と、該シャフト６２の外周に配置される開閉ロック機構６３と、前記キャップ６１とシャフト６２の外周部に形成されるリング６４とのあいだに配設される復帰スプリング６５と、前記ケース６０の下部外周に螺着されるナット６６とから構成されている。
【００２６】
前記開閉ロック機構６３としては、本発明において、前記自己復帰型操作レバー５２により蓋栓５５の開閉ができる機構であれば、とくに限定されるものではなく、ノック式ボールペンなどで使用されている、たとえば前記実施の形態１における開閉ロック機構と同様に、前記ケース６０の内周面から突出する複数の案内突起６７と、互いに噛み合う一対の固定ギア６８、回転ギア６９などとから構成される開閉ロック機構を用いることができる。
【００２７】
前記自己復帰型操作レバー５２とレリースワイヤ５３としては、通常用いられるものを用いることができる。たとえば自己復帰型操作レバー５２は、前記実施の形態１における自己復帰型操作レバー２と同様に、操作軸７１を有する操作ボタン７２と、該操作軸７１を摺動自在に保持する、ネジキャップ７３およびこれに螺着される袋ナット７４からなる保持筒７５と、前記操作ボタン７２および下部に連結された前記レリースワイヤ５３から引き出されたインナーケーブル５３ａの復帰用のリターンスプリング７６とから構成されている。なお、このリターンスプリング７６は、上方部分がテーパ形状にされている。
【００２８】
このレリースワイヤ５３は、前記下部排水管５６ｂの外側から、インナーケーブル５３ａに固着されるプッシュロッド８１を前記ケース６０のねじ部８２の下孔８２ａに差し込むとともに、該レリースワイヤ５３に嵌め込まれている前記ナット６６をねじ部８２の外周に水密状に締め付けて取り付けられている。
【００２９】
前記緩衝部材５４は、開閉機構部５１と栓蓋５５の操作杆５７とに直接連結されているが、その連結構造は、とくに限定されるものではない。本実施の形態では、その一端５４ａが前記開閉機構部５１におけるシャフト６２の先端小径部６２ａとともにケーシングキャップ９１に挿通されたのち、該ケーシングキャップ９１をかしめてシャフト６２に連結されており、その他端５４ｂが前記栓蓋５５の操作杆５７の周りのガイド９２に固着されるケーシングキャップ９３にかしめにより連結されている。この緩衝部材５４として、本実施の形態では、コイルスプリングと該コイルスプリングの外周に被覆される被覆層とからなるものが用いられているが、本発明においては、これに限定されるものではなく、被覆層を省いたステンレス製コイルスプリング、ステンレス製ワイヤ、樹脂製棒または硬質ゴム製棒などを用いることもできる。
【００３０】
なお、本実施の形態では、延長部５６ｃが下方に延びているため、該延長部５６ｃの上部開口部１０１から開閉機構部５１側へ排水が流入し、糸くずや毛髪などのごみが延長部５６ｃ内に堆積しやすくなる。このため、前記延長部５６ｃの上部開口端部１０１ａと緩衝部材５４とのあいだに、排水およびごみが侵入しにくいように弾性隔壁体などの遮蔽手段を設けるのが好ましい。
【００３１】
本実施の形態では、前記実施の形態１と同様に、開閉機構部５１を排水栓本体の外部に取り付けと同時にレリースワイヤ５３の連結を同時に行なうことができるため、取付け作業の効率を向上させることができる。また、レリースワイヤーの配索に際し、小曲げを行なわないので、取り付け精度を維持することができる。また、図８に示されるように、前記自己復帰型操作レバー５２の操作ボタン７２を押し込むと、インナーケーブル５３ａに操作力が伝達されて、プッシュロッド８１が押し出される。ついで該プッシュロッド８１の上昇とともに、シャフト６２を介して開閉ロック機構６３を作動させて緩衝部材５４を突出させるとともに、栓蓋５５を押し上げる。そして、前記操作ボタン７２の押し方向の力を解除すると、リターンスプリング７６の力で操作ボタン７２とプッシュロッド８１は元の位置に戻る。このとき、シャフト６２は上昇位置で保持されているので、前記栓蓋５５は緩衝部材５４を介して開状態となる。
【００３２】
ついで図９に示されるように、不用意に手で押えるなど過負荷を開状態の栓蓋５５に与えて、該栓蓋５５を押し下げた場合、前記緩衝部材５４が撓む。これにより、開閉機構部５１と緩衝部材５４との連結部Ａ、該開閉機構部５１および該開閉機構部５１とレリースワイヤ５３との連結部Ｂへの負荷を軽減することができる。そして、負荷がなくなると、緩衝部材５４の復元力により前記栓蓋５５を開状態に復帰させる。
【００３３】
【発明の効果】
以上説明したとおり、本発明の実施の形態１によれば、レリースワイヤを排水栓本体の外側から取り付けることにより、排水管本体の寸法に影響されず、容易に取り付けることができる。また、小曲げを行なわずにレリースワイヤを配索することができるため、取り付け精度を維持することができる。さらに排水栓本体とレリースワイヤとの取り付けに際し、パッキンを介してナットで一体に締め付けることができるため、取付け作業および取外し作業を容易にすることができる。
【００３４】
また、本発明の実施の形態２によれば、実施の形態１と同様に、レリースワイヤの位置決め精度の維持およびレリースワイヤの取付け作業の効率化を図ることができるとともに、排水管内には、緩衝部材しかないため、所定の排水量を確保することができる。
【００３５】
また、ロック機構を内蔵する開閉機構部およびレリースワイヤが排水管の外部に取り付けられているため、取り付けおよび取り外しが容易であり、メンテナンス作業を簡単に行なうことができる。さらにインナーケーブルをＬ字状に小曲げせずに、レリースワイヤを配索することができるため、取り付け精度を維持することができる。
【図面の簡単な説明】
【図１】本発明の排水栓装置にかかわる実施の形態１を示す部分断面である。
【図２】図１のガイド部の背面展開図、固定ギアの正面展開図および回転ギアの正面展開図である。
【図３】図１の開閉ロック機構における案内突起、固定ギアおよび回転ギアの配置を示す展開図である。
【図４】図１の栓蓋の開状態までの開閉ロック機構の動作を示す展開図である。
【図５】図１の栓蓋の開状態を示す断面図である。
【図６】図５の栓蓋の開状態から閉状態までの開閉ロック機構の動作を示す展開図である。
【図７】本発明の排水栓装置にかかわる実施の形態２を示す部分断面図である。
【図８】図７の栓蓋の開状態を示す部分断面図である。
【図９】図７の排水栓装置の動作を説明する図である。
【符号の説明】
１、５１　　開閉機構部
２、５２　　自己復帰型操作レバー
３、５３　　レリースワイヤ
４、５５　　栓蓋
５、５６　　排水栓本体
５ａ、５６ａ　上部排水管
５ｂ、５６ｂ　下部排水管
５ｃ　連結管
６　　下部屈曲壁部
６ａ　孔
７　　スライド軸
８、１７、２１、５８　　パッキン
９、１４、５９、６６　　ナット
１０　　ガイド部
１１、６１　　キャップ
１２、６２　　シャフト
１３、６３　　開閉ロック機構
１５　　カバー
１６　　下部鍔
１８、５３ａ　　インナーケーブル
１９、８１　　プッシュロッド
２０、８２　　ねじ部
２０ａ、８２ａ　下孔
２２　　カバー
３１、３４、３７　　ギア
３１ａ　第１ギア
３１ｂ　第２ギア
３２、６７　　案内突起
３３、３６　　突起
３５、６８　　固定ギア
３８、６９　　回転ギア
３９、６４　　リング
４０　　溝
４１、７１　　操作軸
４２、７２　　操作ボタン
４３、７３　　ネジキャップ
４４、７４　　袋ナット
４５、７５　　保持筒
４６、７６　　リターンスプリング
５４　　緩衝部材
５４ａ　緩衝部材の一端
５４ｂ　緩衝部材の他端
５６ｃ　延長部
５７　　操作杆
６０　　ケース
６２ａ　先端小径部
６５　　復帰スプリング
９１、９３　　ケーシングキャップ
９２　　ガイド
１０１　　上部開口部
１０１ａ　上部開口端部
【図１】
2004027812.tif 000003
【図２】
2004027812.tif 000004
【図３】
2004027812.tif 000005
【図４】
2004027812.tif 000006
【図５】
2004027812.tif 000007
【図６】
2004027812.tif 000008
【図７】
2004027812.tif 000009
【図８】
2004027812.tif 000010
【図９】
2004027812.tif 000011